(57)【特許請求の範囲】
【請求項１】
合成樹脂製の発泡成形品からなる埋込材本体の内部に閉鎖空間部が設けられているコンクリート基板に取り付ける埋込材であって、前記閉鎖空間部の底部上面は該閉鎖空間部内に入った水を前記埋込材本体の側壁の方向に誘導する傾斜面となっており、前記側壁には誘導されてきた前記水を外部に排出する排出口が設けられていることを特徴とするコンクリート基板に取り付ける埋込材。
【請求項２】
前記埋込材本体は前記閉鎖空間部の底部上面に沿って上部材と下部材とに分割されていることを特徴とする請求項１に記載のコンクリート基板に取り付ける埋込材。
【請求項３】
前記埋込材本体は前記閉鎖空間部を横断する面で上部材と下部材とに分割されていることを特徴とする請求項１に記載のコンクリート基板に取り付ける埋込材。
【請求項４】
前記埋込材本体は前記閉鎖空間部を縦断する面で左部材と右部材とに分割されていることを特徴とする請求項１に記載のコンクリート基板に取り付ける埋込材。
【請求項５】
前記埋込材本体は前記閉鎖空間部の上部下面と底部上面とに沿って上部材と中部材と下部材とに分割されていることを特徴とする請求項１に記載のコンクリート基板に取り付ける埋込材。
【発明の詳細な説明】
【０００１】
【発明の属する技術分野】
本発明は、コンクリート基板に取り付ける埋込材に関するものである。
【０００２】
【従来の技術】
最近、建築物の床材、天井材として、図１４に示すように養生過程中の未硬化のコンクリート基板１の上に合成樹脂製の発泡成形品からなる埋込材２を配置して固定した構造の中空コンクリートスラブ用基板３が提案されている。従来の埋込材２は、合成樹脂製の発泡成形品からなる埋込材本体４に、その下部側に開口する内部をリブ４ａで仕切られた複数の空間部５が設けられ、埋込材本体４の側壁４ｂの下部には空間部５内に溜まった水を排出する排出溝６が設けられた構造になっていた。
【０００３】
このような中空コンクリートスラブ用基板３を用いて、その上に現場にてコンクリート７を打設して中空コンクリートスラブからなる建築物の床材、天井材等を構成すると、建築物の床や天井等の構築の省力化や軽量化が図れ、且つ優れた遮音性能が得られる等の利点がある。
【０００４】
【発明が解決しようとする課題】
上記の中空コンクリートスラブ用基板３を利用した建築物の床や天井等の構築にあっては、中空コンクリートスラブ用基板３を敷設し、その上に配筋を行いコンクリートを打設するといった作業が行われるが、かかる作業中誤って鉄筋を敷設した中空コンクリートスラブ用基板３に打ち当てたり、ハンマー等の道具を落としたりして、中空コンクリートスラブ用基板３の埋込材２に、空間部５内に連通するような傷８を付けてしまう場合がある。
【０００５】
このような状態で、雨に降られたようなとき、前記傷８から雨水が埋込材２の空間部５内に入ってしまう場合がある。前記従来の中空コンクリートスラブ用基板３では、コンクリート基板１上に取り付けられている埋込材２は、埋込材本体４の側壁４ｂの下部に、空間部５内に溜まった水を排出する排出溝６が設けられた構造になっているが、養生過程中の未硬化のコンクリート基板１の上に合成樹脂製の発泡成形品からなる埋込材２を配置して固定した際に、埋込材本体４の側壁４ｂの下部が養生過程中の未硬化のコンクリート基板１の上面に若干食い込み、このときに生じるコンクリート基板１の表面の盛り上がりにより、前記排出溝６が塞がれてしまって排水機能を十分に発揮させることができず、前記傷８から埋込材２の空間部５内に入った雨水が排出されず、空間部５内に溜まってしまう場合があり、また、コンクリート基板１の表面は必ずしも平滑面ではなく、凹凸面があるような場合、この凹部に水が溜まり前記排出溝６が開いていても排水されない場合がある。
【０００６】
このように埋込材２の空間部５内に水が溜まっている状態でコンクリートが打設された場合、後日、埋込材２の空間部５内にカビが生えたり、埋込材２の空間部５内に溜まっていた水がコンクリートから染み出して下の階の天井に染みが発生する場合があるといった問題点があった。
【０００７】
本発明の目的は、埋込材の空間部に水が入っても空間部に水が溜まるのを防止できるコンクリート基板に取り付ける埋込材を提供することにある。
本発明の他の目的は、内部の空間部に水が溜まるのを防止できる構造のものを成形により容易に製造できるコンクリート基板に取り付ける埋込材を提供することにある。
【０００８】
【課題を解決するための手段】
請求項１に記載のコンクリート基板に取り付ける埋込材は、合成樹脂製の発泡成形品からなる埋込材本体の内部に閉鎖空間部が設けられているコンクリート基板に取り付ける埋込材であって、前記閉鎖空間部の底部上面は該閉鎖空間部内に入った水を前記埋込材本体の側壁の方向に誘導する傾斜面となっており、前記側壁には誘導されてきた前記水を外部に排出する排出口が設けられていることを特徴とする。
【０００９】
このような構造になっていると、コンクリート基板に固定されている該埋込材に、空間部内に連通するような傷が付いた状態で、例えば、雨に降られ前記傷から雨水が埋込材の空間部内に入ってしまったような場合、その水は空間部の底部上面の傾斜面により該埋込材本体の側壁の方向に誘導され、側壁の排出口より外部に排出されることになり、埋込材本体の内部の空間部に水が溜まるのを防止することができる。
【００１０】
請求項２に記載のコンクリート基板に取り付ける埋込材は、請求項１に記載の前記埋込材本体は前記閉鎖空間部の底部上面に沿って上部材と下部材とに分割されていることを特徴とする。
【００１１】
このような構造になっていると、内部の閉鎖空間部に水が溜まるのを防止できる構造の埋込材を型成形により容易に製造することができる。
【００１２】
請求項３に記載のコンクリート基板に取り付ける埋込材は、請求項１に記載の前記埋込材本体は前記閉鎖空間部を横断する面で上部材と下部材とに分割されていることを特徴とする。
【００１３】
このような構造でも、内部の閉鎖空間部に水が溜まるのを防止できる構造の埋込材を型成形により容易に製造することができる。
【００１４】
請求項４に記載のコンクリート基板に取り付ける埋込材は、請求項１に記載の前記埋込材本体は前記閉鎖空間部を縦断する面で左部材と右部材とに分割されていることを特徴とする。
【００１５】
このような構造でも、内部の閉鎖空間部に水が溜まるのを防止できる構造の埋込材を型成形により容易に製造することができる。
【００１６】
請求項５に記載のコンクリート基板に取り付ける埋込材は、請求項１に記載の前記埋込材本体は前記空間部の上部下面と底部上面とに沿って上部材と中部材と下部材とに分割されていることを特徴とする。
【００１７】
このような構造でも、内部の閉鎖空間部に水が溜まるのを防止できる構造の埋込材を型成形により容易に製造することができる。
【００１８】
【発明の実施の形態】
図１及び図２は本発明に係るコンクリート基板に取り付ける埋込材における実施の形態の第１例を示したもので、図１は本例のコンクリート基板に取り付ける埋込材の斜視図、図２は図１のＡ−Ａ線拡大断面図である。
【００１９】
本例のコンクリート基板に取り付ける埋込材２においては、合成樹脂製の発泡成形品からなる埋込材本体４の内部に、リブ４ａで仕切られて複数の閉鎖空間部９が設けられている。各閉鎖空間部９の底部上面は、該閉鎖空間部９内に入った水を埋込材本体４の側壁４ｂの方向に誘導する傾斜面１０となっている。本例では、各閉鎖空間部９の底部上面は、幅方向の中央が高くて幅方向の両側に向かって低くなる形状となっている。埋込材本体４の各リブ４ａ及び各側壁４ｂには、誘導されてきた水を外部に排出する溝形の排出口１１が設けられている。
【００２０】
本例では、このような埋込材本体４は、閉鎖空間部９の底部上面の傾斜面１０に沿って上部材４Ａと下部材４Ｂとに分割され、両者は、接合端面に形成された凹凸を係合して接合されている。そして、前記上部材４Ａの周縁部には下向きの凹部１２が適宜間隔をあけて設けられ、この下向きの凹部１２の底部に固定用部材が通され下に存在する図示しない養生中の未硬化のコンクリート基板１に打ち込まれて上部材４Ａと下部材４Ｂとで構成される埋込材２がコンクリート基板１に固定されるようになっている。
【００２１】
このような構造によれば、コンクリート基板１に固定されている該埋込材２に、閉鎖空間部９内に連通するような傷８が付いた状態で、例えば、雨に降られ前記傷８から雨水が埋込材２の閉鎖空間部９内に入ってしまったような場合、その水は閉鎖空間部９の底部上面の傾斜面１０により該埋込材本体４の側壁４ｂの方向に誘導され、側壁４ｂの排出口１１より外部に排出されることになり、埋込材本体４の内部の閉鎖空間部９に水が溜まるのを防止することができる（図３）。
【００２２】
また、前記埋込材本体４が、閉鎖空間部９の底部上面に沿って上部材４Ａと下部材４Ｂに分割されているので、内部の閉鎖空間部９に水が溜まるのを防止できる構造の埋込材２を型成形により容易に製造することができる。
【００２３】
図４及び図５は本発明に係るコンクリート基板に取り付ける埋込材における実施の形態の第２例を示したもので、図４は本例のコンクリート基板に取り付ける埋込材の斜視図、図５は図４のＢ−Ｂ線拡大断面図である。
【００２４】
本例のコンクリート基板に取り付ける埋込材２においても、合成樹脂製の発泡成形品からなる埋込材本体４の内部に、リブ４ａで仕切られて複数の閉鎖空間部９が設けられている。各閉鎖空間部９の底部上面は、該閉鎖空間部９内に入った水を埋込材本体４の側壁４ｂの方向に誘導する傾斜面９となっている。本例では、各閉鎖空間部９の底部上面は、幅方向の一方の側壁４ｂ他方の側壁４ｂよりも低くなるように傾斜した形状となっている。埋込材本体４の各リブ４ａ及び傾斜面１０の低い方にある側壁４ｂには、誘導されてきた水を外部に排出する溝形の排出口１１が設けられている。
【００２５】
本例でも、このような埋込材本体４は、閉鎖空間部９の底部上面の傾斜面１０に沿って上部材４Ａと下部材４Ｂとに分割され、両者は、接合端面に形成された凹凸を係合して接合されている。そして、前記上部材４Ａの周縁部には下向きの凹部１２が適宜間隔をあけて設けられ、この下向きの凹部１２の底部に固定用部材が通され下に存在する図示しない養生中の未硬化のコンクリート基板１に打ち込まれて上部材４Ａと下部材４Ｂとで構成される埋込材２がコンクリート基板１に固定されるようになっている。
【００２６】
このような構造によれば、コンクリート基板１に固定されている該埋込材２に、閉鎖空間部９内に連通するような傷８が付いた状態で、例えば、雨に降られ前記傷８から雨水が埋込材２の閉鎖空間部９内に入ってしまったような場合、その水は閉鎖空間部９の底部上面の傾斜面１０により低い方の側壁４ｂの方向に誘導され、側壁４ｂの排出口１１より外部に排出されることになり、埋込材本体４の内部の閉鎖空間部９に水が溜まるのを防止することができる。
【００２７】
また、前記埋込材本体４が、閉鎖空間部９の底部上面に沿って上部材４Ａと下部材４Ｂに分割されているので、内部の閉鎖空間部９に水が溜まるのを防止できる構造の埋込材２を型成形により容易に製造することができる。
【００２８】
図６乃至図８は本発明に係るコンクリート基板に取り付ける埋込材における実施の形態の第３例を示したもので、図６は本例のコンクリート基板に取り付ける埋込材の斜視図、図７は図６のＣ−Ｃ線拡大断面図、図８は図６の下部材４Ｄの長手方向縦断面図である。
【００２９】
本例のコンクリート基板に取り付ける埋込材２においても、合成樹脂製の発泡成形品からなる埋込材本体４の内部に、リブ４ａで仕切られて複数の閉鎖空間部９が設けられている。各閉鎖空間部９の底部上面は、該閉鎖空間部９内に入った水を埋込材本体４の側壁４ｂの方向に誘導する傾斜面１０となっている。本例では、各閉鎖空間部９の底部上面は、幅方向の中央が低くて幅方向の両側に向かって高くなり、そして、幅方向の中央の低くい部分は、埋込材本体４の長手方向の中央が高くて、長手方向の両端に向かって低くなる形状になっている。埋込材本体４の長手方向の両端の各側壁４ｂには、誘導されてきた水を外部に排出する排出口１１が設けられている。
【００３０】
本例では、このような埋込材本体４は、閉鎖空間部５を横断する面１３で上部材４Ｃと下部材４Ｄとに分割され、両者は、接合端面に形成された凹凸を係合して接合されている。そして、前記上部材４Ｃの周縁部及び下部材４Ｄの周縁部には下向きの凹部１２が適宜間隔をあけて設けられ、この下向きの凹部１２の底部に固定用部材が通され下に存在する図示しない養生中の未硬化のコンクリート基板１に打ち込まれて上部材４Ｃと下部材４Ｄとで構成される埋込材２がコンクリート基板１に固定されるようになっている。
【００３１】
このような構造によれば、コンクリート基板１に固定されている該埋込材２に、閉鎖空間部９内に連通するような傷８が付いた状態で、例えば、雨に降られ前記傷８から雨水が埋込材２の閉鎖空間部９内に入ってしまったような場合、その水は閉鎖空間部９の底部上面の傾斜面１０により該埋込材本体４の側壁４ｂの方向に誘導され、側壁４ｂの排出口１０より外部に排出されることになり、埋込材本体４の内部の閉鎖空間部９に水が溜まるのを防止することができる。
【００３２】
また、前記埋込材本体４が、閉鎖空間部９の底部上面に沿って上部材４Ｃと下部材４Ｄに分割されているので、内部の閉鎖空間部９に水が溜まるのを防止できる構造の埋込材２を型成形により容易に製造することができる。
【００３３】
図９乃至図１１は本発明に係るコンクリート基板に取り付ける埋込材における実施の形態の第４例を示したもので、図９は本例のコンクリート基板に取り付ける埋込材の斜視図、図１０は図９のＤ−Ｄ線拡大断面図、図１１は図９の左部材の内面図である。
【００３４】
本例のコンクリート基板に取り付ける埋込材２においても、第３例とほぼ同様な形状になっており、対応する部分には同一符号を付けて示している。第３例と相違する点は、埋込材本体４が閉鎖空間部９を縦断する面１４で左部材４Ｅと右部材４Ｆとに分割されている点である。
【００３５】
このような構造でも、第３例と同様な効果を得ることができる。
【００３６】
図１２及び図１３は本発明に係るコンクリート基板に取り付ける埋込材における実施の形態の第５例を示したもので、図１２は本例のコンクリート基板に取り付ける埋込材の斜視図、図１３は図１２のＥ−Ｅ線拡大断面図である。
【００３７】
本例のコンクリート基板に取り付ける埋込材２は、第１例とほぼ同様な形状になっており、対応する部分には同一符号を付けて示している。第１例と相違する点は、埋込材本体４が閉鎖空間部９の上部下面と底部上面とに沿って上部材４Ａと中部材４Ｇと下部材４Ｂとに分割されている点である。
このような構造でも、第１例と同様な効果を得ることができる。
【００３８】
【発明の効果】
以上のように本発明にかかるコンクリート基板に取り付ける埋込材によれば、合成樹脂製の発泡成形品からなる埋込材本体の内部に閉鎖空間部が設けられている埋込材であって、前記閉鎖空間部の底部上面は該閉鎖空間部内に入った水を前記埋込材本体の側壁の方向に誘導する傾斜面となっており、前記側壁には誘導されてきた前記水を外部に排出する排出口が設けられているので、建築物の床や天井等の構築作業中に、埋込材に、閉鎖空間部内に連通するような傷を付けてしまい、このような状態で、例えば、雨に降られ前記傷から雨水が埋込材の閉鎖空間部内に入ってしまったような場合、その水は閉鎖空間部の底部上面の傾斜面により該埋込材本体の側壁の方向に誘導され、側壁の排出口より外部に排出され、埋込材本体の内部の閉鎖空間部に水が溜まるのを防止することができることから、埋込材の閉鎖空間部内に水が溜まっている状態でコンクリートが打設され、後日、埋込材の閉鎖空間部内にカビが生えたり、埋込材の閉鎖空間部内に溜まっていた水がコンクリートから染み出して下の階の天井に染みが発生するといった事態を確実に防止することができる。
【図面の簡単な説明】
【図１】本発明に係るコンクリート基板に取り付ける埋込材の実施の形態の第１例を示した斜視図。
【図２】図１のＡ−Ａ線拡大断面図。
【図３】第１例に示す埋込材の閉鎖空間部内に入った水が排水される状態を示した説明図。
【図４】本発明に係るコンクリート基板に取り付ける埋込材の実施の形態の第２例を示した斜視図。
【図５】図４のＢ−Ｂ線拡大断面図。
【図６】本発明に係るコンクリート基板に取り付ける埋込材の実施の形態の第３例を示した斜視図。
【図７】図６のＣ−Ｃ線拡大断面図。
【図８】図６の下部材の長手方向縦断面図。
【図９】本発明に係るコンクリート基板に取り付ける埋込材の実施の形態の第４例を示した斜視図。
【図１０】図９のＤ−Ｄ線拡大断面図。
【図１１】図９の左部材の内面図。
【図１２】本発明に係るコンクリート基板に取り付ける埋込材の実施の形態の第５例を示した斜視図。
【図１３】図１２のＥ−Ｅ線拡大断面図。
【図１４】従来のコンクリート基板の上に埋込材を配置して固定した中空コンクリートスラブ用基板の断面図。
【符号の説明】
１  コンクリート基板
２  埋込材
３  中空コンクリートスラブ用基板
４  埋込材本体
４ａ  リブ
４ｂ  側壁
４Ａ，４Ｃ  上部材
４Ｂ，４Ｄ  下部材
４Ｅ  左部材
４Ｆ  右部材
４Ｇ  中部材
５  空間部
６  排出溝
７  コンクリート
８  傷
９  閉鎖空間部
１０  傾斜面
１１  排出口
１２  凹部
１３  空間部を横断する面
１４  空間部を縦断する面
【図１】
0004233737.tif 000002
【図２】
0004233737.tif 000003
【図３】
0004233737.tif 000004
【図４】
0004233737.tif 000005
【図５】
0004233737.tif 000006
【図６】
0004233737.tif 000007
【図７】
0004233737.tif 000008
【図８】
0004233737.tif 000009
【図９】
0004233737.tif 000010
【図１０】
0004233737.tif 000011
【図１１】
0004233737.tif 000012
【図１２】
0004233737.tif 000013
【図１３】
0004233737.tif 000014
【図１４】
0004233737.tif 000015